【事件の表示】
　特願２０１５−　９７２４０号「各台計数システム」拒絶査定不服審判事件〔平成２７年　８月　６日出願公開、特開２０１５−１４２８２１号〕について、次のとおり審決する。
【結　論】
　本件審判の請求は、成り立たない。
【理　由】
第１　手続の経緯
　本願は、平成２２年３月２日に特許出願された特願２０１０−４５９５７号の一部を平成２７年５月１２日に新たに特許出願されたものであって、平成２８年４月７日付けで拒絶理由が通知され、平成２８年６月１３日に意見書及び手続補正書が提出されたところ、平成２８年１０月７日付けで拒絶査定がなされ、これに対し平成２９年１月１８日に拒絶査定不服審判の請求がなされると同時に明細書及び特許請求の範囲に係る手続補正（以下、「本件補正」という。）がなされたものである。
第２　本件補正についての補正却下の決定
［補正却下の決定の結論］
　本件補正を却下する。
［理由］
１．本件補正の概要
　本件補正は特許請求の範囲の請求項１、２の記載を含む補正であり、平成２８年６月１３日付けの手続補正と本件補正の特許請求の範囲の請求項１の記載はそれぞれ、以下のとおりである（下線部は、本件補正箇所を示す。）。
（補正前：平成２８年６月１３日付け手続補正）
「【請求項１】
　遊技台ごとに設けられ、遊技者の獲得した遊技媒体を計数する遊技媒体計数手段を有する各台装置と、前記各台装置と通信可能に設けられ、前記各台装置の前記遊技媒体計数手段によって計数された遊技媒体数と、前記各台装置で取り扱う記録媒体に記録された識別情報とを対応付けて持遊技媒体数として記憶する持遊技媒体情報記憶手段を有する管理装置とを備えた各台計数システムであって、
　前記各台装置は、
　前記記録媒体に記録された識別情報を読み取り可能な識別情報読取手段と、
　自装置の第１の持遊技媒体数から第２の持遊技媒体数を分割する分割指示を受け付ける分割指示受付手段と、
　前記分割指示受付手段によって前記分割指示を受け付けると、前記第１の持遊技媒体数から前記第２の持遊技媒体数を減算する持遊技媒体分割手段と、
　前記分割指示受付手段によって前記分割指示を受け付けると、前記識別情報読取手段によって前記記録媒体から読み取られた識別情報と前記第２の持遊技媒体数とを対応付け、前記管理装置へ送信する送信手段と
　を備え、
　前記管理装置は、
　前記送信手段によって送信された前記識別情報と前記第２の持遊技媒体数とを対応付けて前記持遊技媒体情報記憶手段に新たに記憶する
　ことを特徴とする各台計数システム。」
（補正後：本件補正である平成２９年１月１８日付け手続補正）
「請求項１】
　遊技台ごとに設けられ、遊技者の獲得した遊技媒体を計数する遊技媒体計数手段を有する各台装置と、前記各台装置と通信可能に設けられ、前記各台装置の前記遊技媒体計数手段によって計数された遊技媒体数と、前記各台装置で取り扱う記録媒体に記録された識別情報とを対応付けて持遊技媒体数として記憶する持遊技媒体情報記憶手段を有する管理装置とを備えた各台計数システムであって、
　前記各台装置は、
　前記記録媒体に記録された識別情報を読み取り可能な識別情報読取手段と、
　自装置の第１の持遊技媒体数から第２の持遊技媒体数を分割する分割指示を受け付ける分割指示受付手段と、
　前記分割指示受付手段によって前記分割指示を受け付けると、前記第１の持遊技媒体数から前記第２の持遊技媒体数を減算する持遊技媒体分割手段と、
　前記分割指示受付手段によって前記分割指示を受け付けると、前記識別情報読取手段によって前記記録媒体から読み取られた識別情報と前記第２の持遊技媒体数とを対応付け、前記管理装置へ送信する送信手段と
、
　前記記録媒体を排出する記録媒体排出手段と
　を備え、
　前記管理装置は、
　前記送信手段によって送信された前記識別情報と前記第２の持遊技媒体数とを対応付けて前記持遊技媒体情報記憶手段に新たに記憶する
　ことを特徴とする各台計数システム。」
２．補正の適否
　本件補正は、補正前の請求項１に記載された発明を特定するために必要な事項である「各台装置」について、「前記記録媒体を排出する記録媒体排出手段」をさらに備えるとの限定を付加する補正を行うものであって、補正前の請求項１に記載された発明と補正後の請求項１に記載された発明の産業上の利用分野及び解決しようとする課題が同一であるから、特許法第１７条の２第５項第２号の特許請求の範囲の減縮を目的とするものに該当する。
　そして、本件補正は新規事項を追加するものではない。
３．独立特許要件
　そこで、本件補正後の請求項１に記載された発明が特許出願の際独立して特許を受けることができるものであるか否か、すなわち、特許法第１７条の２第６項において準用する同様第１２６条第７項の規定に適合するか否か、について以下に検討する。
（１）本件補正後の請求項１に係る発明
　本件補正後の請求項１に係る発明（以下、「本件補正発明」という。）は、上記１．の本件補正の概要において示した次のとおりのものである（Ａ〜Ｈは本件補正発明を分説するため当審で付した。）。
「Ａ　遊技台ごとに設けられ、遊技者の獲得した遊技媒体を計数する遊技媒体計数手段を有する各台装置と、前記各台装置と通信可能に設けられ、前記各台装置の前記遊技媒体計数手段によって計数された遊技媒体数と、前記各台装置で取り扱う記録媒体に記録された識別情報とを対応付けて持遊技媒体数として記憶する持遊技媒体情報記憶手段を有する管理装置とを備えた各台計数システムであって、
Ｂ　前記各台装置は、
　　前記記録媒体に記録された識別情報を読み取り可能な識別情報読取手段と、
Ｃ　自装置の第１の持遊技媒体数から第２の持遊技媒体数を分割する分割指示を受け付ける分割指示受付手段と、
Ｄ　前記分割指示受付手段によって前記分割指示を受け付けると、前記第１の持遊技媒体数から前記第２の持遊技媒体数を減算する持遊技媒体分割手段と、
Ｅ　前記分割指示受付手段によって前記分割指示を受け付けると、前記識別情報読取手段によって前記記録媒体から読み取られた識別情報と前記第２の持遊技媒体数とを対応付け、前記管理装置へ送信する送信手段と
、
Ｆ　前記記録媒体を排出する記録媒体排出手段と
　を備え、
Ｇ　前記管理装置は、
　前記送信手段によって送信された前記識別情報と前記第２の持遊技媒体数とを対応付けて前記持遊技媒体情報記憶手段に新たに記憶する
Ｈ　ことを特徴とする各台計数システム。」
（２）刊行物に記載された事項
　原査定の拒絶の理由に引用された特開２００４−１４１５２４号公報（以下、「刊行物」という。）には、次の事項が記載されている（下線は当審で付した。）。
（ア）「【００５３】
図１は遊技設備装置の全体構成を示す模式的な概略図である。
図１に示すように、本実施形態の
遊技設備装置１は、複数の遊技装置２と、該複数の遊技装置２と通信可能な管理装置と、を備えて構成されている。
管理装置は、本実施形態の場合、例えば、複数の遊技装置２と直接通信を行う中継装置３と、複数の中継装置３と直接通信を行うホール管理コンピュータ４とからなる分割構成をなしている。つまり、ホール管理コンピュータ４は、中継装置３を介して複数の遊技装置２と間接的に通信を行う
【００５４】
ホール管理コンピュータ４は、図２に示すように、外部Ｉ／Ｆ部４４を介して中継装置３との間でデータの送受信が可能なＣＰＵ４１を備える。
さらに、
ホール管理コンピュータ４は、ＣＰＵ４１が実行する制御プログラム等を記憶したＲＯＭ４２、ＣＰＵ４１の作業領域及び各種データの記憶領域を有するＲＡＭ４３、複数の（具体的には、例えば全ての会員の）会員情報を記憶した会員情報記憶部４５を備えている
【００５５】
ここで、
会員情報には、持球数データ（遊技媒体データ）、貯球データ（貯遊技媒体データ）、金額データ、会員番号データ、暗証番号データ、カナデータ及びポイントデータ等が含まれる
持球数データ（遊技媒体データ）とは、該当する遊技者が、例えば当日の遊技で獲得した持球数（遊技球数）を示すデータである。なお、パチスロ遊技機で遊技した場合に、遊技媒体データは、持っているメダル数を示す持メダル数データとなり、持球数データと同様に扱うことができる。
なお、遊技者が、例えば、当日の遊技を終了する場合等には、持球数データ分のデータを加算して貯球データ（貯遊技媒体データ）を更新するか、或いは、該当する会員の貯球データがそれまで存在しなかった場合には新たに貯球データを生成することが可能となっている。遊技者は、後で（例えば後日）該貯球データを利用して（持球数データに変換して）遊技を行うことが可能である。なお、パチスロ遊技機で遊技した場合、貯遊技媒体データは、貯メダルデータとなり、貯球データと同様に扱うことができる。
金額データとは、該当する遊技者が現金付加装置（当該遊技設備装置１が備える；図示略）に投入した金額に基づき更新或いは生成される。すなわち、例えば、遊技者が遊技を行う前に予め現金付加装置に会員カードを挿入した状態で現金を投入すると、現金付加装置は、当該会員カードより読み取った会員ＩＤ（会員を特定するための情報；例えば、会員番号データ）及び投入された金額分のデータをホール管理コンピュータ４に送信する。すると、ホール管理コンピュータ４では該当する会員情報の金額データを更新する（投入金額分を加算する）か、或いは、該当する会員の金額データがそれまで存在しなかった場合には新たに金額データを生成する。金額データは、後述するように持球数データ（遊技媒体データ、持メダルデータ）への変換が可能となっている。
会員番号データは、会員登録の際に遊技店側から遊技者に付与される会員番号のデータである。暗証番号データは、例えば、遊技者が会員登録する際に設定する暗証番号のデータである。カナデータは、会員の氏名の仮名のデータである。ポイントデータは、例えば来店回数や大当り発生回数等に基づき遊技者に付与されるポイント（会員ポイント）のデータである。
なお、会員データの一部（例えば、持球数データ、金額データ、貯球データ及びポイントデータ）は、遊技中（各遊技装置２のカード処理装置２２（後述）への会員カードの挿入時）は各カード処理装置２２にて管理される。」
（イ）「【００５７】
また、
本実施形態の遊技装置２は、遊技者が遊技を実行可能な遊技機としての例えば第１種のパチンコ遊技機２１と、該パチンコ遊技機２１の横隣に設置されたカード処理装置２２とを備えて構成されている
【００５８】
カード処理装置２２は、当該遊技装置２と中継装置（管理装置）３との間での通信、持球数データ（遊技媒体データ）の生成、及び、会員カードの処理等が可能となっている
すなわち、図２に示すように、カード処理装置２２は、外部Ｉ／Ｆ部２２４を介して中継装置３（の外部Ｉ／Ｆ部３１）と接続されたＣＰＵ２２１を備え、該ＣＰＵ２２１は、外部Ｉ／Ｆ部２２４を介して中継装置３との間でデータの送受信を行う。
さらに、カード処理装置２２は、ＣＰＵ２２１が行う制御プログラム等を記憶したＲＯＭ２２２、ＣＰＵ２２１の作業領域及び各種データの記憶領域を有するＲＡＭ２２３を備えている。
加えて、
カード処理装置２２は、会員カードの挿入を受け付ける会員カード挿入口２２７
を備えている
そして、ＣＰＵ２２１は、タッチパネル操作部２２５への操作入力に基づき、ホール管理コンピュータ４へのデータの送信処理や、液晶表示部２２６の表示状態の切替処理等の制御を行う。
・・・
【００６１】
ここで、持球数（持球数データ）の管理は、例えば以下のように行う。
先ず、
会員カードがカード処理装置２２の会員カード挿入口２２７に挿入されると、カード処理装置２２のＣＰＵ２２１は該会員カードの情報を読み取る。ＣＰＵ２２１は、具体的には、例えば、会員カードに記憶されている会員ＩＤ（例えば会員番号データ）を読み取って、当該会員ＩＤに該当する会員の会員情報の要求をホール管理コンピュータ４に対して行う
すると、ホール管理コンピュータ４のＣＰＵ４１は、要求された会員情報（特に、例えば、持球数データ（遊技媒体データ）、金額データ、貯球データ及びポイントデータ）を外部Ｉ／Ｆ部４４を介してカード処理装置２に送信する。
カード処理装置２２では、受信した会員情報（例えば、会員情報の一部）を遊技中においては管理する。すなわち、遊技中はカード処理装置２２にて会員情報を随時更新する。
また、カード処理装置２２は、持球数データがある（持球数に残数がある）場合は、パチンコ遊技機２１に対して遊技許可を指示する。
パチンコ遊技機２１では、遊技許可指示を受けている状態時には、遊技球を発射して遊技を行うことが可能で、遊技球を発射する毎に（つまり、発射球検出センサからの検出信号が制御装置に入力される毎に）打ち込み球情報をカード処理装置２２に送信する。カード処理装置２２では、受信した打ち込み球情報に基づき持球数データを減算する。すなわち、１つの打ち込み球情報を受信する毎に（つまり、遊技者が１個の遊技球を発射する毎に）持球数データを１減算し、持球数データが０になるまで遊技を許可する。
ただし、パチンコ遊技機２１で入賞が発生した場合（つまり、入賞球検出センサからの検出信号が制御装置に入力された場合）には、賞球情報をパチンコ遊技機２１からカード処理装置２２に送信する。具体的には、例えば、特別変動入賞装置の入賞口又は一般入賞口への入賞が発生した場合には１５個賞球情報を、特図始動入賞口への入賞が発生した場合には５個賞球情報を、それぞれ送信する。そして、カード処理装置２２では受信した賞球情報に基づき持球数データを加算する。すなわち、１５個賞球情報を１つ受信する毎に持球数データを１５ずつ加算する一方で、５個賞球情報を１つ受信する毎に持球数データを５ずつ加算する。
また、パチンコ遊技機２１でファール球が発生した場合（つまり、ファール球検出センサからの検出信号が制御装置に入力された場合）には、ファール球情報をパチンコ遊技機２１からカード処理装置２２に送信する。なお、ファール球とは、発射されたものの遊技領域２１１に到達しない球である。このため、ファール球は持球数データの減算対象から除外する。すなわち、カード処理装置２２では、ファール球情報に基づき持球数データを加算する。具体的には、ファール球情報を１つ受信する毎に持球数データを１加算する。
また、持球数データが０になっても、金額データ又は貯球データの残高減算を伴う球貸し操作が行われた場合、すなわち、タッチパネル操作部２２５を操作することにより、金額データ又は貯球データから持球数データへの変換要求がなされた場合には、持球数データが加算される。このため、引き続き遊技を行うことができる。なお、金額データ又は貯球データから持球数データへの変換は、例えば、所定の単位数（例えば、１２５個の遊技媒体に相当する分）ずつ行うことができるようになっている。
また、カード処理装置２２では、随時更新される持球数データに基づく持球数の表示を液晶表示部２２６にて行うことができるようになっている（例えば、図５（ａ）等に示すような「獲得遊技球数　２０００個」との表示等）。従って、遊技者は、持球数の表示を適時確認することができる。
また、
遊技者が遊技を終了する場合には、タッチパネル操作部２２５の遊技終了ボタンを押すことにより会員情報（遊技を行う結果として更新された持球数データ、金額データ、貯球データ及びポイントデータ）をホール管理コンピュータ４に送信することができる。すなわち、遊技終了ボタンが操作されると、カード処理装置２２より中継装置３を介してホール管理コンピュータ４に会員情報が送信され、ホール管理コンピュータ４では、受信した会員情報に基づき当該会員の情報を更新する
なお、遊技の終了時の処理は、発射されて未だ結果がでていない遊技球が存在している場合は、その結果がでるまで保留される。そして、
遊技の終了処理が完了した後に会員カードが会員カード挿入口２２７から排出される
（ウ）「【００６９】
より具体的には、
遊技媒体データ共有化手段は、共有化元（分与元）の遊技装置（所定の遊技装置）２で獲得した持球数データの一部を共有化先（分与先）の遊技装置（他の遊技装置）２に管理装置を介して送信（分与）することで、共有化先（分与先）の遊技装置２で当該送信（分与）された持球数データを使用しての遊技を可能にする
すなわち、例えば、共有化先の遊技装置２の遊技者が、共有化元の遊技者を指定するとともに、該共有化元となる遊技装置２で遊技する遊技者に対し持球の共有を要求する操作（持球共有要求操作）を行うと、共有化先の遊技装置２から共有化元の遊技装置２に共有化要求が送信される（図４のステップＳ１１〜Ｓ１９；後述）。
共有化元の遊技装置２では、共有化要求を受信すると、共有化を許可するか否かの選択操作を遊技者に行わせる（図４のステップＳ２１〜Ｓ２２；後述）。
そして、共有化元の遊技者が共有化を許可する操作を行うと、共有化元の遊技装置２が共有化先の遊技装置２に持球数データの一部を送信する。すると、共有化先の遊技装置２では該一部の持球数データを受信し遊技に使用可能とする（図４のステップＳ２３；後述）。
・・・
【００７４】
すると、
共有化元の遊技装置２のカード処理装置２２では、受信したカナデータ（例えば、“ヤマダハナコ”）及び共有化の要求がある旨を液晶表示部２２６に表示する（図４のステップＳ２１）
すなわち、具体的には、共有化元の液晶表示部２２６を、例えば、図５（ａ）に示すような共有前画面から図５（ｅ）に示すような持球共有確認画面に切り替えて、「“ヤマダハナコ”様より、持球共有要求がきました。」との表示を行う。
さらに、図５（ｅ）の持球共有確認画面では「共有される場合はＯＫボタンを押してください。共有されない場合はＮＧボタンを押してください。」との表示も行う。ここで、持球共有確認画面のタッチパネル操作部２２５には、共有要求を許可するためのＯＫボタン２２５ｊ及び共有要求を拒絶するためのＮＧボタン２２５ｋとが形成されている。
つまり、共有化先の遊技者に対し、共有化を許可するか否かの選択操作（ＯＫボタン２２５ｊを操作するか又はＮＧボタン２２５ｋを操作するか）を行わせる。
・・・
【００７６】
他方、共有化元の遊技者が共有要求を許可する操作を行った場合、すなわち、ＯＫボタン２２５ｋを押圧操作した場合には、共有化する球数（共有化元から共有化先の遊技装置２に送信する持球数データの量）の設定操作を該共有化元の遊技者に行わせる。
すなわち、
共有化元の液晶表示部２２６を図６（ｂ）の持球共有個数設定画面に切り替えて、「共有する球数の設定をしてください。よろしければ、決定ボタンを押してください。」との表示を行う。ここで、持球共有個数設定画面のタッチパネル操作部２２５には、共有化する球数（持球数データの量）の入力操作を行うための数字入力ボタン２２５ｌと、入力した球数での共有化を最終決定するための決定ボタン２２５ｍと、入力した球数を訂正する場合や前画面（図５（ｅ））で誤ってＯＫボタン２２５ｊを押してしまった場合などに一旦前画面に戻すための取消ボタン２２５ｎとが形成されている。さらに、持球共有個数設定画面には、数字入力ボタン２２５ｌが押圧操作されることにより入力された設定球数データを表示する球数データ表示部２２５ｏが形成されている。
共有化元の遊技者が球数の設定操作を行うには、数字入力ボタン２２５ｌを操作して共有化する球数を入力する。なお、ここで、設定できる球数（共有化する持球数データ）は、共有化元の遊技者が獲得した全体の持球数データの一部である
具体的には、
例えば、共有化する球数として１０００（個）を入力して決定ボタン２２５ｍを操作したとする。
すると、共有化元の遊技装置２のカード処理装置２２のＣＰＵ２２１は、ホール管理コンピュータ４に対し、設定された球数（例えば、１０００個）分の持球数データ、及び、共有化元の遊技者の会員番号データを送信する
（エ）「【００８０】
すると、共有化先の遊技装置２のカード処理装置２２では、共有化の要求が許可された旨及び共有化元の遊技者のカナデータを液晶表示部２２６に表示する。
すなわち、具体的には、共有化元の液晶表示部２２６を、例えば、図６（ｃ）に示すような持球共有結果画面▲２▼に切り替えて、「“ヤマダタロウ”様より、持球共有要求結果“ＯＫ”がきました。」との表示を行う。
さらに、図６（ｃ）の持球共有結果画面▲２▼では、「共有される場合は共有ボタンを押してください。」との表示も行う。ここで、持球共有結果画面▲２▼のタッチパネル操作部２２５には、共有化の実行の有無を最終確認（最終決定）するための共有ボタン２２５ｐ等が形成されている。
そして、共有化先の遊技者が共有ボタン２２５ｐを押圧操作すると、共有化が行われる。
すなわち、共有化先の遊技装置２のカード処理装置２２は、共有化を実行することが最終決定された旨をホール管理コンピュータ４に送信する。
すると、
ホール管理コンピュータ４は、該最終決定された旨を共有化元の遊技装置２のカード処理装置２２に送信（転送）する一方で、先に共有化元より受信した持球数データを共有化先の遊技装置２のカード処理装置２２に送信（転送）する。
共有化元の遊技装置２では最終決定された旨を受信すると持球数データが１０００個分減算される
また、共有化先の遊技装置２では持球数データを受信すると持球数データが１０００個分加算される。
これにより、共有化先の遊技装置２では、受信した持球数データを遊技に使用可能となる。
すなわち、遊技装置２は、共有化元の遊技装置２より持球数データ（遊技媒体データ）を受信して遊技に使用可能とする遊技媒体データ受信手段（ＣＰＵ２２１等）を備える。」
（オ）「【００８８】
＜変形例１＞
変形例１では、共有化先の遊技装置２で遊技者が獲得した持球数データ（遊技媒体データ）が所定量に達した場合に、持球数データを共有化元の遊技装置２に返送する遊技媒体データ返送手段を遊技媒体データ共有化手段が備える例について説明する。
【００８９】
すなわち、変形例１の遊技装置２のカード処理装置２２は、共有化先となっている場合に
持球数データが所定量に達すると、分与された分の持球数データを共有化元の遊技装置２に自動的に返送する
【００９０】
ここで、持球数データが所定量に達した場合とは、例えば、共有化先の遊技者（ヤマダハナコ）の持球数データが、分与された（送信された）持球数データの球数（本実施形態の場合、例えば１０００個）に、返送後の遊技を行うための余裕分（例えば２０００個）を足し合わせた数（例えば、３０００個）に達した場合である。
すなわち、本実施形態の場合、共有化先の持球数データが３０００個に達した場合に、共有化先の遊技装置２のカード処理装置２２は、共有化元の遊技装置２のカード処理装置２２に、分与された分の持球数データ（例えば、１０００個分）を自動的に返送する。
【００９１】
変形例１によれば、遊技媒体データ共有化手段は、共有化先の遊技装置２で遊技者が獲得した持球数データが所定量に達した場合に、持球数データを自動的に共有化元の遊技装置２に返送する遊技媒体データ返送手段を備えているので、遊技媒体の共有化による遊技者間でのトラブルを防止したり、面倒な作業（例えば、借りた分を返送するための遊技者による作業等）をなくすことができる。
【００９２】
なお、返送する持球数データは、送信された（分与された）持球数データよりも（所定量だけ、或いは、所定割合だけ）多い持球数データ（利息を加えたようなもの）であっても良い。
【００９３】
また、
遊技媒体データ返送手段は、
遊技装置２と管理装置
が共同で備えるのでも良い
持球数データが所定量に達したか否かを、例えばホール管理コンピュータ４のＣＰＵ４１が監視（判定）し、達したと判定した場合には持球数データを返送させる指令を該ＣＰＵ４１から遊技装置２のカード処理装置２２に送信する
（カ）「【０１１１】
＜変形例６＞
変形例６では、遊技装置２が、遊技媒体を用いて遊技を実行可能であるとともに、遊技において賞が発生した場合に該発生した賞に応じた数の遊技媒体を払い出し可能に構成され、且つ、遊技媒体を計数可能な計数装置を備え、前記計数装置に遊技媒体が投入されると該投入量に応じた量の遊技媒体データを生成するタイプの場合について、図７（ａ）を参照して説明する
なお、図７（ａ）の遊技装置２において、上記の実施の形態の遊技装置２と同様の構成については同一の符号を付し、その説明を省略する。
【０１１２】
変形例６のカード処理装置２２は、図７（ａ）に示すように、持球数データ、金額データ、貯球データの何れかの減算を伴う球貸し操作が可能となっていて、球貸し操作が行われると、持球数データから所定量（例えば１２５個）ずつの遊技球が変換されて球誘導ノズル２２８を介してパチンコ遊技機２１の上皿２１３に誘導する。
また、パチンコ遊技機２１で賞が発生すると、賞に応じた遊技球が上皿２１３に払い出される。なお、上皿２１３に貯留しきれない遊技球は下皿２１４に貯留される。
また、
下皿２１４の遊技球は、球抜き操作を行うことにより計数装置２１５に流下させて該計数装置２１５に投入することができる。
計数装置２１５は、投入された球数を計数し、計数結果をカード処理装置２２に送信する。すると、カード処理装置２２では、計数結果に応じた量の持球数データを生成する（新たに生成するか、或いは、元々存在する持球数データを加算する）
なお、計数装置２１５による計数後の遊技球は島設備に回収される。
・・・
【０１１５】
＜変形例７＞
また、上記の変形例６では、計数装置２１５がカード処理装置２２とは別体である例を説明したが、変形例７では、計数装置がカード処理装置２２に内蔵されている例について、図７（ｂ）を参照して説明する
・・・」
　上記（ア）〜（カ）の記載事項から、以下の事項がいえる。なお、（ａ）〜（ｆ）、（ｈ）は、本件補正発明の構成Ａ〜Ｆ、Ｈに対応した事項を示している。
（ａ）上記（イ）の【００５７】には「本実施形態の遊技装置２は、遊技者が遊技を実行可能な遊技機としての例えば第１種のパチンコ遊技機２１と、該パチンコ遊技機２１の横隣に設置されたカード処理装置２２とを備えて構成されている」、【００５８】には「カード処理装置２２は、当該遊技装置２と中継装置（管理装置）３との間での通信、持球数データ（遊技媒体データ）の生成、及び、会員カードの処理等が可能となっている」と記載され、上記（ア）の【００５３】には「遊技設備装置１は、複数の遊技装置２と、該複数の遊技装置２と通信可能な管理装置と、を備えて構成されている。管理装置は、本実施形態の場合、例えば、複数の遊技装置２と直接通信を行う中継装置３と、複数の中継装置３と直接通信を行うホール管理コンピュータ４とからなる分割構成をなしている。つまり、ホール管理コンピュータ４は、中継装置３を介して複数の遊技装置２と間接的に通信を行う」と記載されているから、遊技設備装置１は、パチンコ遊技機２１の横隣に設置されたカード処理装置２２と、カード処理装置２２と通信を行うホール管理コンピュータ４と、を備えていることが記載されているといえる。
　また、上記（カ）の【０１１２】には「下皿２１４の遊技球は、球抜き操作を行うことにより計数装置２１５に流下させて該計数装置２１５に投入することができる。計数装置２１５は、投入された球数を計数し、計数結果をカード処理装置２２に送信する。すると、カード処理装置２２では、計数結果に応じた量の持球数データを生成する（新たに生成するか、或いは、元々存在する持球数データを加算する）」と記載され、上記（イ）の【００６１】には「会員カードがカード処理装置２２の会員カード挿入口２２７に挿入されると、カード処理装置２２のＣＰＵ２２１は該会員カードの情報を読み取る。ＣＰＵ２２１は、具体的には、例えば、会員カードに記憶されている会員ＩＤ（例えば会員番号データ）を読み取って、当該会員ＩＤに該当する会員の会員情報の要求をホール管理コンピュータ４に対して行う」、「遊技者が遊技を終了する場合には、タッチパネル操作部２２５の遊技終了ボタンを押すことにより会員情報（遊技を行う結果として更新された持球数データ、金額データ、貯球データ及びポイントデータ）をホール管理コンピュータ４に送信することができる。すなわち、遊技終了ボタンが操作されると、カード処理装置２２より中継装置３を介してホール管理コンピュータ４に会員情報が送信され、ホール管理コンピュータ４では、受信した会員情報に基づき当該会員の情報を更新する」と記載され、上記（ア）の【００５４】には「ホール管理コンピュータ４は、ＣＰＵ４１が実行する制御プログラム等を記憶したＲＯＭ４２、ＣＰＵ４１の作業領域及び各種データの記憶領域を有するＲＡＭ４３、複数の（具体的には、例えば全ての会員の）会員情報を記憶した会員情報記憶部４５を備えている」、【００５５】には「会員情報には、持球数データ（遊技媒体データ）、貯球データ（貯遊技媒体データ）、金額データ、会員番号データ、暗証番号データ、カナデータ及びポイントデータ等が含まれる」と記載されており、ホール管理コンピュータ４は、計数装置が計数した計数結果から更新された持球数データと会員カードに記憶されている会員番号データとを会員情報としてまとめて記憶する会員情報記憶部４５を備えていることが記載されているといえる。
　これらのことから、刊行物には、
パチンコ遊技機２１の横隣に設置されたカード処理装置２２と、カード処理装置２２と通信を行い、かつ、計数装置が計数した計数結果から更新された持球数データと会員カードに記憶されている会員番号データとを会員情報としてまとめて記憶する会員情報記憶部４５を備えているホール管理コンピュータ４と、を備えている遊技設備装置１
（ｂ）上記（イ）の【００６１】には「会員カードがカード処理装置２２の会員カード挿入口２２７に挿入されると、カード処理装置２２のＣＰＵ２２１は該会員カードの情報を読み取る。ＣＰＵ２２１は、具体的には、例えば、会員カードに記憶されている会員ＩＤ（例えば会員番号データ）を読み取って、当該会員ＩＤに該当する会員の会員情報の要求をホール管理コンピュータ４に対して行う」と記載されている。
　したがって、刊行物には、
カード処理装置２２は、会員カードに記憶されている会員番号データを読み取るＣＰＵ２２１
（ｃ）上記（ウ）の【００７４】には「共有化元の遊技装置２のカード処理装置２２では、受信したカナデータ（例えば、“ヤマダハナコ”）及び共有化の要求がある旨を液晶表示部２２６に表示する（図４のステップＳ２１）」と記載され、【００７６】には「共有化元の液晶表示部２２６を図６（ｂ）の持球共有個数設定画面に切り替えて、「共有する球数の設定をしてください。よろしければ、決定ボタンを押してください。」との表示を行う。ここで、持球共有個数設定画面のタッチパネル操作部２２５には、共有化する球数（持球数データの量）の入力操作を行うための数字入力ボタン２２５ｌと、入力した球数での共有化を最終決定するための決定ボタン２２５ｍと、入力した球数を訂正する場合や前画面（図５（ｅ））で誤ってＯＫボタン２２５ｊを押してしまった場合などに一旦前画面に戻すための取消ボタン２２５ｎとが形成されている。さらに、持球共有個数設定画面には、数字入力ボタン２２５ｌが押圧操作されることにより入力された設定球数データを表示する球数データ表示部２２５ｏが形成されている。共有化元の遊技者が球数の設定操作を行うには、数字入力ボタン２２５ｌを操作して共有化する球数を入力する。なお、ここで、設定できる球数（共有化する持球数データ）は、共有化元の遊技者が獲得した全体の持球数データの一部である」と記載されているから、カード処理装置２２は共有化元の遊技者が獲得した全体の持球数データの一部である共有化する持球数データを数字入力ボタン２２５ｌの入力操作により入力後、入力した球数での共有化を最終決定するための決定ボタン２２５ｍを備えていることが記載されているといえる。
　また、上記（ウ）の【００６９】には「遊技媒体データ共有化手段は、共有化元（分与元）の遊技装置（所定の遊技装置）２で獲得した持球数データの一部を共有化先（分与先）の遊技装置（他の遊技装置）２に管理装置を介して送信（分与）することで、共有化先（分与先）の遊技装置２で当該送信（分与）された持球数データを使用しての遊技を可能にする」と記載されているから、「共有化」とは「分与」であるといえる。
　したがって、刊行物には、カード処理装置２２は
分与元の遊技者が獲得した全体の持球数データの一部である分与する持球数データを数字入力ボタン２２５ｌの入力操作により入力後、入力した球数での分与を最終決定するための決定ボタン２２５ｍ
（ｄ）上記（ウ）の【００７６】には「例えば、共有化する球数として１０００（個）を入力して決定ボタン２２５ｍを操作したとする」と記載されている。
　また、上記（ウ）の【００７６】には「設定できる球数（共有化する持球数データ）は、共有化元の遊技者が獲得した全体の持球数データの一部である」と記載され、上記（エ）の【００８０】には「ホール管理コンピュータ４は、該最終決定された旨を共有化元の遊技装置２のカード処理装置２２に送信（転送）する一方で、先に共有化元より受信した持球数データを共有化先の遊技装置２のカード処理装置２２に送信（転送）する。共有化元の遊技装置２では最終決定された旨を受信すると持球数データが１０００個分減算される」と記載されているから、共有化元のカード処理装置２２には、共有化元の遊技者が獲得した全体の持球数データから共有化する持球数データを減算するための手段を有していることは明らかである。
　そして、上記（ｃ）で言及したように「共有化」とは「分与」であるといえる。
　したがって、刊行物には、カード処理装置２２は
決定ボタン２２５ｍを操作すると、分与元の遊技者が獲得した全体の持球数データから分与する持球数データを減算するための手段
（ｅ）上記（ウ）の【００７６】には「例えば、共有化する球数として１０００（個）を入力して決定ボタン２２５ｍを操作したとする。すると、共有化元の遊技装置２のカード処理装置２２のＣＰＵ２２１は、ホール管理コンピュータ４に対し、設定された球数（例えば、１０００個）分の持球数データ、及び、共有化元の遊技者の会員番号データを送信する」と記載されている。
　また、上記（ｃ）で言及したように「共有化」とは「分与」であるといえる。
　したがって、刊行物には、カード処理装置２２は
決定ボタン２２５ｍを操作すると、ホール管理コンピュータ４に対し、分与する持球数データ、及び、分与元の遊技者の会員番号データを送信するＣＰＵ２２１
（ｆ）上記（イ）の【００５８】には「カード処理装置２２は、会員カードの挿入を受け付ける会員カード挿入口２２７・・・を備えている」、【００６１】には「遊技の終了処理が完了した後に会員カードが会員カード挿入口２２７から排出される」と記載されているから、カード処理装置２２は会員カードを排出するための手段を有していることは明らかである。
　したがって、刊行物には、カード処理装置２２は
会員カードを排出するための手段
（ｈ）上記（ア）の【００５３】には「遊技設備装置１」と記載されている。
　したがって、刊行物には、
遊技設備装置１
　上記（ア）〜（カ）の記載事項及び上記（ａ）〜（ｆ）、（ｈ）の認定事項を総合すれば、刊行物には、次の発明が記載されている（以下、「刊行物発明」という。ａ〜ｆ、ｈは刊行物発明を分説するため当審で付した。）。
「ａ　パチンコ遊技機２１の横隣に設置されたカード処理装置２２と、カード処理装置２２と通信を行い、かつ、計数装置が計数した計数結果から更新された持球数データと会員カードに記憶されている会員番号データとを会員情報としてまとめて記憶する会員情報記憶部４５を備えているホール管理コンピュータ４と、を備えている遊技設備装置１であって、
ｂ　カード処理装置２２は、会員カードに記憶されている会員番号データを読み取るＣＰＵ２２１と、
ｃ　分与元の遊技者が獲得した全体の持球数データの一部である分与する持球数データを数字入力ボタン２２５ｌの入力操作により入力後、入力した球数での分与を最終決定するための決定ボタン２２５ｍと、
ｄ　決定ボタン２２５ｍを操作すると、分与元の遊技者が獲得した全体の持球数データから分与する持球数データを減算するための手段と、
ｅ　決定ボタン２２５ｍを操作すると、ホール管理コンピュータ４に対し、分与する持球数データ、及び、分与元の遊技者の会員番号データを送信するＣＰＵ２２１と、
ｆ　会員カードを排出するための手段と、
　を備えた
ｈ　遊技設備装置１。」
（３）対比
　本件補正発明と刊行物発明とを対比する（対比の見出しとしての（ａ）〜（ｆ）、（ｈ）は刊行物発明の分説構成と対応させた）。
（ａ）刊行物発明の「パチンコ遊技機２１」、「カード処理装置２２」、「計数装置」、「計数装置が計数した計数結果から更新された持球数データ」、「会員カードに記憶されている会員番号データ」、「会員情報記憶部４５」、「ホール管理コンピュータ４」は、それぞれ、本件補正発明の「遊技台」、「各台装置」、「遊技媒体計数手段」、「遊技媒体計数手段によって計数された遊技媒体数」、「記録媒体に記録された識別情報」、「持遊技媒体情報記憶手段」、「管理装置」に相当する。
　ここで、刊行物発明の「パチンコ遊技機２１の横隣に設置されたカード処理装置２２」とは、カード処理装置２２がパチンコ遊技機２１の横隣に設置されているから、パチンコ遊技機２１ごとに設けられるカード処理装置２２であるといえる。また、刊行物発明の「会員情報記憶部４５」に記憶される「計数装置が計数した計数結果から更新された持球数データ」は「会員カードに記憶されている会員番号データ」とともに「会員情報」として記憶されているものであるから、「計数装置が計数した計数結果から更新された持球数データ」と「会員カードに記憶されている会員番号データ」とは対応付けられて記憶されているといえる。
　したがって、刊行物発明の「パチンコ遊技機２１の横隣に設置されたカード処理装置２２と、カード処理装置２２と通信を行い、かつ、計数装置が計数した計数結果から更新された持球数データと会員カードに記憶されている会員番号データとを会員情報としてまとめて記憶する会員情報記憶部４５を備えているホール管理コンピュータ４と、を備えている遊技設備装置１」は、本件補正発明の「遊技台ごとに設けられる各台装置と、前記各台装置と通信可能に設けられ、遊技媒体計数手段によって計数された遊技媒体数と、前記各台装置で取り扱う記録媒体に記録された識別情報とを対応付けて持遊技媒体数として記憶する持遊技媒体情報記憶手段を有する管理装置とを備えた各台計数システム」に相当する。
（ｂ）上記（ａ）で言及したように刊行物発明の「会員カードに記憶されている会員番号データ」は、本件補正発明の「記録媒体に記録された識別情報」に相当するから、刊行物発明の「ＣＰＵ２２１」は、本件補正発明の「識別情報読取手段」に相当する。
　また、刊行物発明の「会員カードに記憶されている会員番号データを読み取る」ことは、会員カードに記憶されている会員番号データを読み取り可能であることを含む内容であることは明らかであるので、本件補正発明の「前記記録媒体に記録された識別情報を読み取り可能」であることに相当する。
　したがって、刊行物発明の「カード処理装置２２は、会員カードに記憶されている会員番号データを読み取るＣＰＵ２２１」は、本件補正発明の「前記記録媒体に記録された識別情報を読み取り可能な識別情報読取手段」に相当する。
（ｃ）刊行物発明の「分与元の遊技者が獲得した全体の持球数データ」、「分与する持球数データ」は、それぞれ、本件補正発明の「自装置の第１の持遊技媒体数」、「第２の持遊技媒体数」に相当する。
　また、刊行物発明の「分与元の遊技者が獲得した全体の持球数データの一部である分与する持球数データを数字入力ボタン２２５ｌの入力操作により入力後、入力した球数での分与を最終決定する」こととは、該「最終決定」により「分与する持球数データ」を「分与元の遊技者が獲得した全体の持球数データ」から分与することを指示するといえるので、刊行物発明の「最終決定」は、本件補正発明に「分割指示」に相当する。
　そして、刊行物発明の「決定ボタン２２５ｍ」を遊技者が操作することにより、上記分与の指示はカード処理装置２２に受け付けられるといえる。
　したがって、刊行物発明の「分与元の遊技者が獲得した全体の持球数データの一部である分与する持球数データを数字入力ボタン２２５ｌの入力操作により入力後、入力した球数での分与を最終決定するための決定ボタン２２５ｍ」は、本件補正発明の「自装置の第１の持遊技媒体数から第２の持遊技媒体数を分割する分割指示を受け付ける分割指示受付手段」に相当する。
（ｄ）上記（ｃ）で言及したように、刊行物発明の「決定ボタン２２５ｍ」は、本件補正発明の「分割指示受付手段」に相当し、該「決定ボタン２２５ｍ」を遊技者が操作することにより、上記分与の指示はカード処理装置２２に受け付けられるといえるから、刊行物発明の「決定ボタン２２５ｍを操作する」ことは、本件補正発明の「前記分割指示受付手段によって前記分割指示を受け付ける」ことに相当する。
　したがって、上記（ｃ）で言及したように刊行物発明の「分与元の遊技者が獲得した全体の持球数データ」、「分与する持球数データ」は、それぞれ、本件補正発明の「自装置の第１の持遊技媒体数」、「第２の持遊技媒体数」に相当するから、刊行物発明の「決定ボタン２２５ｍを操作すると、分与元の遊技者が獲得した全体の持球数データから分与する持球数データを減算するための手段」は、本件補正発明の「前記分割指示受付手段によって前記分割指示を受け付けると、前記第１の持遊技媒体数から前記第２の持遊技媒体数を減算する持遊技媒体分割手段」に相当する。
（ｅ）刊行物発明は、「ホール管理コンピュータ４に対し、分与する持球数データ、及び、分与元の遊技者の会員番号データを送信」していることから、「分与する持球数データ」と「分与元の遊技者の会員番号データ」とは対応付けて送信されているといえる。
　また、上記（ｄ）で言及したように刊行物発明の「決定ボタン２２５ｍを操作する」ことは、本件補正発明の「前記分割指示受付手段によって前記分割指示を受け付ける」ことに相当し、上記（ａ）で言及したように刊行物発明の「ホール管理コンピュータ４」は、本件補正発明の「管理装置」に相当し、上記（ｃ）で言及したように刊行物発明の「分与する持球数データ」は、本件補正発明の「第２の持遊技媒体数」に相当し、上記（ｂ）で言及したように刊行物発明の「会員番号データ」は、本件補正発明の「識別情報」に相当する。
　したがって、刊行物発明の「決定ボタン２２５ｍを操作すると、ホール管理コンピュータ４に対し、分与する持球数データ、及び、分与元の遊技者の会員番号データを送信するＣＰＵ２２１」は、本件補正発明の「前記分割指示受付手段によって前記分割指示を受け付けると、前記識別情報読取手段によって前記記録媒体から読み取られた識別情報と前記第２の持遊技媒体数とを対応付け、前記管理装置へ送信する送信手段」に相当する。
（ｆ）刊行物発明の「会員カードを排出するための手段」は、本件補正発明の「前記記録媒体を排出する記録媒体排出手段」に相当する。
（ｈ）刊行物発明の「遊技設備装置１」は、本件補正発明の「各台計数システム」に相当する。
　上記（ａ）〜（ｆ）、（ｈ）の検討より、本件補正発明と刊行物発明とは、
「Ａ’　遊技台ごとに設けられる各台装置と、前記各台装置と通信可能に設けられ、遊技媒体計数手段によって計数された遊技媒体数と、前記各台装置で取り扱う記録媒体に記録された識別情報とを対応付けて持遊技媒体数として記憶する持遊技媒体情報記憶手段を有する管理装置とを備えた各台計数システムであって、
Ｂ　前記各台装置は、
　　前記記録媒体に記録された識別情報を読み取り可能な識別情報読取手段と、
Ｃ　自装置の第１の持遊技媒体数から第２の持遊技媒体数を分割する分割指示を受け付ける分割指示受付手段と、
Ｄ　前記分割指示受付手段によって前記分割指示を受け付けると、前記第１の持遊技媒体数から前記第２の持遊技媒体数を減算する持遊技媒体分割手段と、
Ｅ　前記分割指示受付手段によって前記分割指示を受け付けると、前記識別情報読取手段によって前記記録媒体から読み取られた識別情報と前記第２の持遊技媒体数とを対応付け、前記管理装置へ送信する送信手段と、
Ｆ　前記記録媒体を排出する記録媒体排出手段と
　を備えた
Ｈ　各台計数システム。」
である点で一致し、以下の点で相違する。
［相違点１］
　「遊技媒体計数手段」について、本件補正発明は、「各台装置」が有しているのに対して、刊行物発明は、そのような特定がなされていない点。（構成Ａ）
［相違点２］
　「管理装置」について、本件補正発明は、「前記送信手段によって送信された前記識別情報と前記第２の持遊技媒体数とを対応付けて持遊技媒体情報記憶手段に新たに記憶する」のに対して、刊行物発明は、そのような特定がなされていない点。（構成Ｇ）
（４）判断
（ア）上記［相違点１］について検討する。
　刊行物の【０１１１】に「＜変形例６＞変形例６では、遊技装置２が、遊技媒体を用いて遊技を実行可能であるとともに、遊技において賞が発生した場合に該発生した賞に応じた数の遊技媒体を払い出し可能に構成され、且つ、遊技媒体を計数可能な計数装置を備え、前記計数装置に遊技媒体が投入されると該投入量に応じた量の遊技媒体データを生成するタイプの場合について、図７（ａ）を参照して説明する」、【０１１２】に「下皿２１４の遊技球は、球抜き操作を行うことにより計数装置２１５に流下させて該計数装置２１５に投入することができる。計数装置２１５は、投入された球数を計数し、計数結果をカード処理装置２２に送信する」と記載され、【図７】（ａ）には、パチンコ遊技機２１が備える下皿２１４の下方に計数装置２１５が配置され、パチンコ遊技機２１の横隣に設置されたカード処理装置２２に該計数装置が接続されていることが図示されており、カード処理装置２２が計数装置２１５を備えることは特定されていないものの、刊行物の【０１１５】に「＜変形例７＞また、上記の変形例６では、計数装置２１５がカード処理装置２２とは別体である例を説明したが、変形例７では、計数装置がカード処理装置２２に内蔵されている例について、図７（ｂ）を参照して説明する」と記載されているように、計数装置をカード処理装置２２に内蔵させることは記載されているので、刊行物発明のパチンコ遊技機２１の横隣に設置されたカード処理装置２２において、計数装置を該カード処理装置２２に内蔵させる構成とすることは、当業者が適宜変更し得た事項である。また、該構成とすることによる特別有利な効果もなく、さらに、該構成とすることを阻害する理由もない。
（イ）上記［相違点２］について検討する。
　刊行物の【００７６】に「共有化元の遊技装置２のカード処理装置２２のＣＰＵ２２１は、ホール管理コンピュータ４に対し、設定された球数（例えば、１０００個）分の持球数データ、及び、共有化元の遊技者の会員番号データを送信する」と記載されるから、分与元ＣＰＵ２２１が送信する分与する持球数データと分与元の遊技者の会員番号データとをホール管理コンピュータ４が受信することにより、該受信したデータはホール管理コンピュータ４内に記憶されるといえる。
　したがって、刊行物発明のホール管理コンピュータ４は記憶手段として会員情報記憶部４５を有していることを考慮すれば、刊行物発明において、分与元ＣＰＵ２２１から送信された分与する持球数データと分与元の遊技者の会員番号データとをホール管理コンピュータ４内に記憶するために、その記憶先をホール管理コンピュータ４の会員情報記憶部４５とすることは、当業者が適宜選択し得たことである。そして、該会員情報記憶部４５を記憶先とすることによる特別有利な効果もなく、該会員情報記憶部４５を記憶先とすることを阻害する理由もない。
　または、刊行物の【００８９】に「変形例１の遊技装置２のカード処理装置２２は、共有化先となっている場合に
持球数データが所定量に達すると、分与された分の持球数データを共有化元の遊技装置２に自動的に返送する
遊技媒体データ返送手段は、
遊技装置２と管理装置
が共同で備えるのでも良い
持球数データが所定量に達したか否かを、例えばホール管理コンピュータ４のＣＰＵ４１が監視（判定）し、達したと判定した場合には持球数データを返送させる指令を該ＣＰＵ４１から遊技装置２のカード処理装置２２に送信する
　したがって、刊行物発明において上記刊行物の記載事項を採用して、遊技媒体データ返送手段を遊技装置２と管理装置とが共同で備えて、管理装置のホール管理コンピュータ４のＣＰＵ４１が分与先の持球数データが所定量に達したか否か判定する構成とし、達したと判定した場合に持球数データを返送させる指令を該ＣＰＵ４１から遊技装置２のカード処理装置２２に送信する構成とすることは、当業者が適宜変更し得たことである。
　ここで、ホール管理コンピュータ４のＣＰＵ４１から送信される上記持球数データを返送させる指令は、分与された分の持球数データを分与元の遊技装置２に返送するため指令といえ、該指令には分与する持球数データと分与元の遊技装置２を特定するためのデータがまとめて含まれているといえる。また、ホール管理コンピュータ４のＣＰＵ４１が上記持球数データを返送させる指令を送信する以上、該指令はホール管理コンピュータ４内に記憶されているといえる。
　そうすると、ホール管理コンピュータ４が記憶手段として会員情報記憶部４５を有していること、分与元ＣＰＵ２２１が送信する「分与する持球数データ」と「分与元の遊技者の会員番号データ」とをホール管理コンピュータ４が受信すること、及び、ホール管理コンピュータ４が受信するデータで分与元の遊技装置２を特定するためのデータには分与元の遊技者の会員番号データがあることを考慮すれば、上記刊行物の記載事項を採用した刊行物発明において、持球数データを返送させる指令のために、分与元ＣＰＵ２２１から送信される「分与する持球数データ」及び「分与元の遊技者の会員番号データ」をホール管理コンピュータ４内で記憶しておく構成とし、その記憶先をホール管理コンピュータ４の会員情報記憶部４５とすることは、当業者であれば容易に想到し得たことである。そして、該会員情報記憶部４５を記憶先とすることによる特別有利な効果もなく、該会員情報記憶部４５を記憶先とすることを阻害する理由もない。
（ウ）まとめ
　そうすると、刊行物発明において刊行物の記載事項を適用することにより、上記相違点１、２に係る本件補正発明のように構成することは、当業者が容易に想到し得たことである。
　そして、本件補正発明の作用効果も、刊行物発明から当業者が予測できる範囲のものである。
（５）審判請求人の主張について
　平成２９年１月１８日付け審判請求書において審判請求人は
「つまり、この引用文献１のものは、「共有元の遊技者Ｘと共有先の遊技者Ｙがそれぞれ遊技機で遊技中である」ことを前提としてなされた発明であり、遊技者Ｙが遊技対象となる遊技機を決めていない状況においては、持玉を共有することはできません。 
 　これに対して、本願発明は、共有先である遊技者Ｙが遊技中である（遊技する遊技機が特定されている）ことを前提としておらず、台間装置から排出された記録媒体を遊技者Ｙに受け渡しさえすれば、遊技者Ｙがその後に所望の遊技機で遊技することが可能となります。このようにした理由は、遊技者Ｘと遊技者Ｙが離れた場所に位置する状況で持玉共有を行う状況は考え難く（意思疎通上の問題があるため）、現実には、両者が共有元の遊技者Ｘの近傍で共有する遊技媒体数等を相談しながら持玉共有を行うと考えられるためであります。 
 　このように、この引用文献１のものは、本願発明と想定している状況及び前提が異なります」
と主張（以下、「主張１」という）している。
　さらに審判請求人は
「また、この引用文献１では、ホール管理コンピュータが、共有先である遊技者Ｙから共有要求（共有元の遊技者Ｘの氏名等を含む）を受け付けた場合に、共有元である遊技者Ｘが遊技する遊技機をサーチする処理、共有に関する情報の中継処理等を行っているため、ホール管理コンピュータが持玉共有の中核的な役割を担っています。 
 　これに対して、本願発明では、遊技者Ｘが遊技する遊技機ａに併設された台間装置において、持玉の分割処理を行っており、管理装置にはその結果が通知されるだけです。言い換えると、本願発明の管理装置では、引用文献１のホール管理コンピュータのような分割処理を行っておりません」
と主張（以下、「主張２」という）している。
　加えて審判請求人は
「さらに、この引用文献１によれば、持玉共有の態様として、遊技者Ｘの持玉の一部を遊技者Ｙに分与するケース１と、プールした持玉を遊技者Ｘ及び遊技者Ｙが並行して使用できるようにするケース２とが記載されています（［００１４］、［００１５］段落を参照）。 
 　ここで、上記のケース１（分与）の場合であっても、遊技者Ｘは遊技者Ｙに対して単に持玉を譲渡する訳ではなく、あくまでも持玉は共有されることになります。例えば、遊技者Ｙの遊技機の液晶表示部には「共有中」と表示されますし（［００８１］段落等を参照）、遊技者Ｙの持玉が所定量に達した場合に、共有元の遊技者Ｘに持玉の一部が返送される点も記載されています（［００８８］段落等参照）。このように、持玉が共有されているということは、引用文献１には記載がないものの、遊技者Ｘの持玉と遊技者Ｙの持玉は共有財産であり、共有先の遊技者Ｙが無断で持玉を景品交換する状況は想定できません。 
 　これに対して、本願発明が対象とする「持玉の譲渡」は、引用文献１の持玉共有（分与）とは異なり、ある遊技者Ｘから他の遊技者Ｙへ持玉を受け渡すものであり、受け渡しが完了した以降の共有関係は生じません。その結果、持玉は異なる記録媒体に関連付けて別管理されることになります」
と主張（以下、「主張３」という）している。
　審判請求人の主張１−３について検討する。
　第一に、審判請求人の上記主張１について検討すると、本件補正発明は、審判請求人が主張するような「前提」、すなわち、分割した持玉に関し、それを使用する者が、遊技中ではない、または、遊技中であってはならないことを特定するものではない。
　よって、審判請求人の上記主張１は本件補正発明に基づく主張ではないから採用できない。
　第二に、審判請求人の上記主張２について検討すると、刊行物では、【００７６】に「他方、共有化元の遊技者が共有要求を許可する操作を行った場合、すなわち、ＯＫボタン２２５ｋを押圧操作した場合には、共有化する球数（共有化元から共有化先の遊技装置２に送信する持球数データの量）の設定操作を該共有化元の遊技者に行わせる。すなわち、共有化元の液晶表示部２２６を図６（ｂ）の持球共有個数設定画面に切り替えて、「共有する球数の設定をしてください。よろしければ、決定ボタンを押してください。」との表示を行う。ここで、持球共有個数設定画面のタッチパネル操作部２２５には、共有化する球数（持球数データの量）の入力操作を行うための数字入力ボタン２２５ｌと、入力した球数での共有化を最終決定するための決定ボタン２２５ｍと、入力した球数を訂正する場合や前画面（図５（ｅ））で誤ってＯＫボタン２２５ｊを押してしまった場合などに一旦前画面に戻すための取消ボタン２２５ｎとが形成されている。さらに、持球共有個数設定画面には、数字入力ボタン２２５ｌが押圧操作されることにより入力された設定球数データを表示する球数データ表示部２２５ｏが形成されている。共有化元の遊技者が球数の設定操作を行うには、数字入力ボタン２２５ｌを操作して共有化する球数を入力する。なお、ここで、設定できる球数（共有化する持球数データ）は、共有化元の遊技者が獲得した全体の持球数データの一部である。また、共有化元の遊技者は、入力した持球数データの量を球数データ表示部２２５ｏで確認して正しければ決定ボタン２２５ｎを押圧操作する。具体的には、例えば、共有化する球数として１０００（個）を入力して決定ボタン２２５ｍを操作したとする。すると、共有化元の遊技装置２のカード処理装置２２のＣＰＵ２２１は、ホール管理コンピュータ４に対し、設定された球数（例えば、１０００個）分の持球数データ、及び、共有化元の遊技者の会員番号データを送信する」と記載されていることから、共有化元の遊技装置２のカード処理装置２２において、共有化の要求がある場合に共有化先の遊技者に対し共有化を許可するか否かの選択操作を行い、また、共有化元の遊技者が共有要求を許可する操作を行った場合、数字入力ボタン２２５ｌを操作して共有化する球数を入力して決定ボタン２２５ｍを操作しており、操作結果がホール管理コンピュータ４に送信されている。このため、上記カード処理装置２２における共有化を許可するか否かの選択操作及び共有化する球数の入力操作が、審判請求人が主張する「分割処理」に相当し、ホール管理コンピュータ４には操作結果が送信されるだけである。
　よって、審判請求人の上記主張２は採用できない。
　第三に、審判請求人の上記主張３について検討すると、本件補正発明は「前記各台装置は、前記記録媒体に記録された識別情報を読み取り可能な識別情報読取手段と、自装置の第１の持遊技媒体数から第２の持遊技媒体数を分割する分割指示を受け付ける分割指示受付手段と、前記分割指示受付手段によって前記分割指示を受け付けると、前記第１の持遊技媒体数から前記第２の持遊技媒体数を減算する持遊技媒体分割手段と、前記分割指示受付手段によって前記分割指示を受け付けると、前記識別情報読取手段によって前記記録媒体から読み取られた識別情報と前記第２の持遊技媒体数とを対応付け、前記管理装置へ送信する送信手段と、前記記録媒体を排出する記録媒体排出手段とを備え、前記管理装置は、前記送信手段によって送信された前記識別情報と前記第２の持遊技媒体数とを対応付けて前記持遊技媒体情報記憶手段に新たに記憶する」にすぎず、審判請求人が主張する「持玉の譲渡」に関する事項及び「他の遊技者Ｙ」に関わる事項を含むわけではなく、本件補正発明は、共有先の遊技者Ｙが無断で持玉を景品交換すること、受け渡しが完了した以降の共有関係は生じないこと、及び、持玉は異なる記録媒体に関連付けて別管理されること、のそれぞれを特定するものではない。
　よって、審判請求人の上記主張３は本件補正発明に基づく主張ではないから採用できない。
　したがって、審判請求人が主張する上記主張１−３は採用できない。
（６）小括
　本件補正発明は、刊行物発明、及び、刊行物の記載事項に基づいて、当業者が容易に発明をすることができたものであるから、特許法第２９条第２項の規定により特許出願の際独立して特許を受けることができないものである。
４．むすび
　以上のとおり、本件補正は、特許法第１７条の２第６項において準用する同法第１２６条第７項の規定に違反するので、同法第１５９条第１項の規定において読み替えて準用する同法第５３条第１項の規定により却下すべきものである。
第３　本願発明
　本件補正発明は、上記のとおり却下されたので、本願の請求項１に係る発明（以下、「本願発明」という）は、平成２８年６月１３日付けの手続補正書により補正された、上記「第２　１．」の本件補正の概要において示したとおりのものである。
１．刊行物
　原査定の拒絶理由に引用された刊行物の記載事項は、上記「第２　３．（２）」において示したとおりのものである。
２．対比・判断
　本願発明は、本件補正発明の発明を特定するために必要な事項である「各台装置」について、上記「第２　１．」の下線部の構成を省いたものである。
　そうすると、本願発明と刊行物発明とを対比すると、上記「第２　３．（３）」における相違点１、２で相違し、残余の点で一致する。
　そして、上記相違点１、２については上記「第２　３．（４）」において判断したとおり当業者が容易に想到し得たことである。
　そして、本願発明の作用効果も、刊行物発明から当業者が予測できる範囲のものである。
　したがって、本願発明は原査定のとおり、刊行物発明に基づいて当業者が容易に発明できたものである。
３．むすび
　以上のとおり、本願発明は、特許法第２９条第２項の規定に基づいて特許を受けることができないものである。
　したがって、本願は拒絶すべきである。
　よって、結論のとおり審決する。